(57)【要約】【課題】既設電柱１の一部を使用して、架空電線Ｄの張り替えを行うことなく電柱を移設させることにより、コストの削減が可能な電柱の移設方法を提供すること。【解決手段】本発明の電柱の移設方法は、既設電柱１を移転させる電柱の移設方法であって、新設電柱２を新設する新柱設置工程と、既設電柱１を新設電柱２に複数箇所で連結する電柱連結工程と、既設電柱１の下部１１を切断する切断工程と、を備えることを特徴とする。【選択図】図１
2010213470.tif 000002
【特許請求の範囲】
【請求項１】
既設電柱を移転させる電柱の移設方法であって、
新設電柱を新設する新柱設置工程と、
前記既設電柱を前記新設電柱に複数箇所で連結する電柱連結工程と、
前記既設電柱の下部を切断する切断工程と、
を備えることを特徴とする電柱の移設方法。
【請求項２】
前記電柱連結工程は、前記新柱設置工程の後に、前記既設電柱を前記新設電柱に連結するする第１連結工程と、
前記切断工程の後に、下部が切断された前記既設電柱の切断面を支持した状態で、前記既設電柱を前記新設電柱に連結する第２連結工程と、
を有することを特徴とする請求項１に記載の電柱の移設方法。
【請求項３】
前記新設電柱を支持する支線を張設する支線張設工程を更に備えることを特徴とする請求項１又は２に記載の電柱の移設方法。
【発明の詳細な説明】
【技術分野】
【０００１】
本発明は、電柱の移設方法に関する。
【背景技術】
【０００２】
近年、道路拡幅工事等の都市形態の整備により、既存の電柱の移設を行わなければならない場合がある。例えば、道路の拡張工事の場合には、既存の電柱から１〜１．５ｍ程度、電柱を移設させることが多く、既存の電柱から１〜１．５ｍ程度離れた場所に新規の電柱を立設し、架空電線の張り替え工事を行った後、既存の電柱の撤去作業を行っていた（例えば、特許文献１参照）。
【先行技術文献】
【特許文献】
【０００３】
【特許文献１】特開２００２−３５４６４２号公報
【発明の概要】
【発明が解決しようとする課題】
【０００４】
しかしながら、特許文献１に記載の既設電柱の移設方法をはじめとする従来の既設電柱の移設方法は、既存の電柱に架線されている架空電線の張り替え工事を必要としていた。また、この張り替え工事は、作業の安全性を考慮して、架空電線を停電にして工事を行わなければならない場合があった。そのため、従来の電柱の移設工事は、架空電線の張り替えに多大な労力と時間とが要求され、工事費等のコストがかかるという問題があった。
【０００５】
本発明は、既存の電柱の一部を使用して架空電線の張り替えを行うことなく電柱を移設することにより、コストの削減が可能な電柱の移設方法を提供することを目的とする。
【課題を解決するための手段】
【０００６】
本発明は、既設電柱を移転させる電柱の移設方法であって、新設電柱を新設する新柱設置工程と、前記既設電柱を前記新設電柱に複数箇所で連結する電柱連結工程と、前記既設電柱の下部を切断する切断工程と、を備えることを特徴とする。
【０００７】
また、前記電柱連結工程は、前記新柱設置工程の後に、前記既設電柱を前記新設電柱に連結する第１連結工程と、前記切断工程の後に、下部が切断された前記既設電柱の切断面を支持した状態で、前記既設電柱を前記新設電柱に連結する第２連結工程と、を有することが好ましい。
【０００８】
また、前記新設電柱を支持する支線を張設する支線張設工程を更に備えることが好ましい。
【発明の効果】
【０００９】
本発明によれば、既存の電柱の一部を使用して架空電線の張り替えを行うことなく電柱を移設することにより、コストの削減が可能な電柱の移設方法を提供することができる。
【図面の簡単な説明】
【００１０】
【図１】本発明の実施形態に係る移設方法により、既設電柱が新設電柱に連結された状態を示す外観斜視図である。
【図２】本実施形態に係る移設方法により、既設電柱が新設電柱に連結された状態を示す側面図である。
【図３】本実施形態に係る移設方法による移設が行われる前の既設電柱を示す外観斜視図である。
【図４】本実施形態に係る移設方法により、移設場所に新設電柱を新設させた状態を示す外観斜視図である。
【図５】本実施形態に係る移設方法により、第１腕金により既設電柱と新設電柱とを連結させた状態を示す外観斜視図である。
【図６】本実施形態に係る移設方法により、新設電柱に固定された既設電柱の下部を切断した状態を示す外観斜視図である。
【図７】本実施形態に係る移設方法により、切断した既設電柱１の切断面を支持した状態で第２腕金及び第３腕金により新設電柱２と既設電柱１と連結した外観斜視図である。
【図８】本実施形態に係る移設方法により、新設電柱を支持する第１支線及び第２支線を張設した状態を示す外観斜視図である。
【発明を実施するための形態】
【００１１】
以下、本発明の実施形態について、図面を参照しながら説明する。
図１は、本発明の実施形態に係る移設方法により、既設電柱１が新設電柱２に連結された状態を示す外観斜視図である。図２は、本実施形態に係る移設方法により、既設電柱１が新設電柱２に連結された状態を示す側面図である。
【００１２】
図１及び図２に示すように、本実施形態に係る既設電柱１の移設方法は、既設電柱１の上部１０を新設電柱２に連結させ、新設電柱２に連結された上部１０を残して既設電柱１を切断し、撤去することにより、既設電柱１に架線されている架空電線Ｄの張り替えを行うことなく、既設電柱１の移設を可能にしたものである。
【００１３】
以下、本実施形態に係る既設電柱１の移設方法を構成する各工程について、具体的に説明する。
本実施形態に係る既設電柱１の移設方法は、新柱設置工程と、電柱連結工程の一部を構成する第１連結工程と、切断工程と、電柱連結工程の一部を構成する第２連結工程と、支線張設工程と、を備えて構成されている。既設電柱１の移設方法においては、上述の各工程が上記の順に実行される。
【００１４】
［新柱設置工程］
図３は、本実施形態に係る移設方法による移設が行われる前の既設電柱１を示す外観斜視図である。図４は、本実施形態に係る移設方法により、移設場所に新設電柱２を新設させた状態を示す外観斜視図である。
図３及び図４に示すように、新柱設置工程は、既設電柱１が設置されている既存の場所から、所定距離はなれた場所に新設電柱２を設置する工程である。例えば、道路の拡張工事の場合には、道路の拡張幅分（例えば、１〜１．５ｍ）移動した位置に新設電柱２を設置する。
【００１５】
新設電柱２の設置方法としては、まず、新設電柱２が新設される新設場所に建柱穴２０を堀削する。建柱穴２０の堀削は、穴掘建柱車による機械堀り、又は手掘り（階段掘り）により行われ、穴径又は穴幅が極力小さくなるように行われる。また、建柱穴２０の堀削は、新設電柱２の根入れ深さに応じた深さになるまで行われる。例えば、電柱の全長が１５ｍの場合には、２．５ｍの根入れ深さの堀削が行われる。建柱穴２０が堀削されると、新設電柱２を建柱穴２０に垂直に建柱し、建柱穴２０の埋め戻しを行う。埋め戻しは、約０．２ｍごとにパンコ、ランマー等で十分に付き固めながら行われる。このようにして、新設電柱２が新設場所に設置され、新柱設置工程が完了する。
【００１６】
［第１連結工程］
図５は、本実施形態に係る移設方法により、第１腕金３により既設電柱１と新設電柱２とを連結させた状態を示す外観斜視図である。
図５に示すように、第１連結工程は、新柱設置工程により設置された新設電柱２と既設電柱１とを連結する工程である。
【００１７】
新設電柱２と既設電柱１とは、第１腕金３により連結される。
第１腕金３は、鉄骨角材により形成される一対の第１腕部３０，３０を備えて構成されている。一対の第１腕部３０，３０は、新設電柱２及び既設電柱１それぞれを狭持するように、水平方向に互いに平行に配置され、その両端が新設電柱２及び既設電柱１をそれぞれに固定される。
【００１８】
［切断工程］
図６は、本実施形態に係る移設方法により、新設電柱２に固定された既設電柱１の下部を切断した状態を示す外観斜視図である。
図６に示すように、切断工程は、第１連結工程により新設電柱２に固定された既設電柱１の上部１０を残して下部１１を切断し、切断部分を撤去する工程である。
切断工程は、第１連結工程で第１腕金３に固定された既設電柱１の上部１０を残して、下部１１を切断する第１切断工程と、第１切断工程により切断された下部１１と地面Ｇに埋設されている埋設部１３との地際１４を切断する第２切断工程と、第１切断工程及び第２切断工程により切除された既設電柱１の下部１１を撤去する撤去工程と、を有して構成されている。
【００１９】
第１切断工程は、電柱切断機により既設電柱１の上部を切断する工程である。ここで、既設電柱１の上部１０とは、例えば、既設電柱１の上半分をいい、主として架空電線Ｄが架線されている領域及び近傍を含むものをいう。
第２切断工程は、第１切断工程により切断された既設電柱１の下部１１と、既設電柱１の埋設部１３との地際１４を切断する工程である。第２切断工程では、第１切断工程で切断された下部１１のうち、撤去可能な部分を切り出す。
撤去工程は、第２切断工程により、既設電柱１から切断された下部１１を撤去する工程である。撤去工程は、第１切断工程及び第２切断工程で切断された既設電柱１の下部１１を既存の場所から撤去することにより、既存場所での空間を確保する。
【００２０】
［第２連結工程］
図７は、本実施形態に係る移設方法により、切断した既設電柱１の切断面１５を支持した状態で第２腕金４及び第３腕金５により新設電柱２と既設電柱１とを連結した外観斜視図である。
図７に示すように、第２連結工程は、切断工程により切断された既設電柱１の切断面１５を支持した状態で、新設電柱２と既設電柱１とを連結する工程である。
【００２１】
切断工程により切断された既設電柱１と新設電柱２とは、第２腕金４及び第３腕金５によりさらに連結される。
第２腕金４は、鉄骨の角材により形成される一対の第２腕部４０，４０を備えて構成されている。一対の第２腕部４０，４０は、新設電柱２及び既設電柱１を狭持するように、水平方向に互いに平行に配置され、一端部が新設電柱に固定され、他端部が既設電柱１に固定される。
【００２２】
また、一対の第２腕部４０，４０の他端部には一対の第２腕部４０，４０を連結して形成された支持部４１が設けられている。支持部４１には、切断面１５が載置され、支持部４１は、既設電柱１の上部１０を下方から支持する。
【００２３】
第３腕金５は、長尺の板状に形成される一対の第３腕部５０，５０と、一対の第３腕部５０，５０を連結する第１支柱５１及び第２支柱５２と、を備えて構成されている。
一対の第３腕部５０，５０は、互いに対向するように、新設電柱２を狭持した状態で配置され、その一端が新設電柱２に固定されている。一方、一対の第３腕部５０，５０の他端は、一対の第２腕部４０，４０の他端に固定されている。一対の第３腕部５０，５０は、一対の第２腕部４０，４０に対して所定の角度を有するように、新設電柱２と一対の第２腕部４０，４０の他端とに固定される。
第１支柱５１及び第２支柱５２は、互いに平行に配置された一対の第３腕部５０，５０を連結する。
【００２４】
［支線張設工程］
図８は、本実施形態に係る移設方法により、新設電柱２を支持する第１支線６及び第２支線７を張設した状態を示す外観斜視図である。
図８に示すように、支線張設工程は、新設電柱２の上部を地面Ｇ側に引っ張り、新設電柱２が既設電柱１側に倒れることを防止する第１支線６及び第２支線７を張設する工程である。第１支線６の上端は、新設電柱２における第１腕金３の下部に連結されている。一方、第１支線６の下端は、既設電柱１が固定される側と反対側の地面Ｇに打ち込まれた杭８に連結されている。また、第２支線７の上端は、新設電柱２における第２腕金４の下部に連結されている。一方、第２支線７の下端は、地面Ｇに打ち込まれた杭８に連結されている。
【００２５】
以上のような構成を有する本実施形態に係る既設電柱１の移設方法によれば、以下の効果を奏する。
本実施形態に係る既設電柱１の移設方法は、電柱新設工程と、既設電柱と新設電柱とを連結する電柱連結工程と、既設電柱を切断する切断工程と、を有する。そのため、例えば、既設電柱１に架線された架空電線Ｄを新設電柱２に張り替えることなく、既設電柱１の移設を行うことが可能になる。これにより、架空電線Ｄの張り替えに費やされる労力や費用を削減することが可能になる。
【００２６】
また、既設電柱１に架線された架空電線Ｄを新設電柱２に張り替える必要がないため、既設電柱１の移設を活線状態で行うことが可能になる。そのため、工事期間の短縮が可能になる。また、近隣の住民等に迷惑をかけることなく工事を行うことが可能になる。
【００２７】
また、本実施形態に係る既設電柱１の移設方法は、下部１１が切断された既設電柱１の切断面１５を支持した状態で、新設電柱２と既設電柱１とを連結する第２連結工程と、を備える。そのため、例えば、上方に向かって直径が細くなるテーパ形状に形成された電柱を移設する場合においても、第２腕金４及び第３腕金５が既設電柱１の切断面１５を下方側から支持するため、切断した既設電柱１の上部１０が落下することを防止することが可能になる。
【００２８】
また、本実施形態に係る既設電柱１の移設方法は、新設電柱２を支持する支線を張設する支線張設工程を備える。そのため、新設電柱２が既設電柱１の上部１０を支持した状態であっても、新設電柱２が既設電柱１側に倒れることを防止することが可能になる。
【００２９】
なお、本発明は、上記実施形態に何ら限定されることはなく、本発明の技術的範囲はこれに限定されるものではない。
例えば、本実施形態においては、第２連結工程は、第２腕金４の他端部に支持部４１を設け、支持部４１に切断面１６を載置させた状態で既設電柱１の上部１０を支持する構成としたが、本発明においては、これに限定されない。例えば、第２連結工程は、既設電柱１の切断面１５を支持した状態で第２腕金４に固定される構成であればよい。
【符号の説明】
【００３０】
１    既設電柱
２    新設電柱
３    第１腕金
４    第２腕金
５    第３腕金
６    第１支線
７    第２支線
１０    上部
１１    下部
１５    切断面
４１    支持部
Ｄ    架空電線
【図１】
2010213470.tif 000003
【図２】
2010213470.tif 000004
【図３】
2010213470.tif 000005
【図４】
2010213470.tif 000006
【図５】
2010213470.tif 000007
【図６】
2010213470.tif 000008
【図７】
2010213470.tif 000009
【図８】
2010213470.tif 000010